(57)【要約】【課題】色、模様、形状又は材質の変更を容易に行うことができると共に、カバー又はオプション類を取り付けることができる、間仕切パネル用笠木を得る。【解決手段】縦枠２，２と横枠３，３・・・とを組み合わせて形成されたフレーム１と、フレーム１の表面及び裏面の少なくともどちらかに止着されたパネル５，５・・・と、フレーム１の上部に止着された笠木とを備えた間仕切パネルにおいて、前記横枠３，３・・・の中で最上部の横枠である上枠３及び前記縦枠２，２の少なくともどちらかに固定された笠木ベース６を備え、この笠木ベース６の上面から窪んだ断面形状を有すると共に長手方向に延びた少なくとも２本の係合凹部６ｂ，６ｂを前記笠木ベース６に形成した。【選択図】        図４
2005113500.tif 000002
【特許請求の範囲】
【請求項１】
縦枠と横枠とを組み合わせて形成されたフレームと、このフレームの表面及び裏面の少なくともどちらかに止着されたパネルと、前記フレームの上部に止着された笠木とを備えた間仕切パネルにおいて、
前記横枠の中で最上部の横枠である上枠及び前記縦枠の少なくともどちらかに固定された笠木ベースを備え、この笠木ベースの上面から窪んだ断面形状を有すると共に長手方向に延びた少なくとも２本の係合凹部を前記笠木ベースに形成してなる間仕切パネル用笠木。
【請求項２】
前記笠木ベースの長手方向に延びると共に、前記笠木ベースに形成された係合凹部の少なくとも２本の係合凹部に係合して該係合凹部間を覆うカバーを備えた請求項１記載の間仕切パネル用笠木。
【請求項３】
前記笠木ベースに形成された係合凹部に係合すると共にオプション類を支持するオプション支持部材を備えた請求項１記載の間仕切パネル用笠木。
【請求項４】
前記笠木ベースの長手方向に延びた２個の下向きリブを前記笠木ベース下面に形成し、これら下向きリブが前記上枠及び前記縦枠の少なくともどちらかの上部に係合することにより、前記上枠及び前記縦枠の少なくともどちらかとの前記パネルの表裏方向の位置決めを行うものである請求項１〜３のいずれかに記載の間仕切パネル用笠木。
【発明の詳細な説明】
【技術分野】
【０００１】
本発明は、縦枠と横枠とを組み合わせて形成されたフレームと、このフレームの表面及び裏面の少なくともどちらかに止着されたパネルと、前記フレームの上部に止着された笠木とを備えた間仕切パネルにおける前記笠木の改良に関するものである。
【背景技術】
【０００２】
従来の間仕切パネル用笠木としては、上面が平坦な笠木に脚を形成し、該脚をフレームの最上部の横枠の係止片に係止させることにより、前記笠木を前記フレームに止着するもの（例えば、特許文献１参照。）、上面が平坦な笠木を間仕切パネルの上部に止めネジにより止着するもの（例えば、特許文献２参照。）等がある。
【特許文献１】実公平７−２６４８５号公報（図１）
【特許文献２】特開２００１−１１５５９０号公報（図１）
【発明の開示】
【発明が解決しようとする課題】
【０００３】
以上のような従来の間仕切パネル用笠木は、間仕切パネルの端部を隠蔽する機能を有するのみであり、該笠木の色、模様、形状又は材質の変更を容易に行うことができないこと、及び、該笠木を利用してカバー又はオプション類を取り付けることができないこと等の問題点があった。
【０００４】
本発明は、前記のような問題点を解決するためになされたものであり、使用者の好み等に合わせて、色、模様、形状又は材質の変更を容易に行うことができると共に、カバー又はオプション類を取り付けることができる、間仕切パネル用笠木を得ることを目的とする。
【課題を解決するための手段】
【０００５】
本発明に係る間仕切パネル用笠木は、前記課題解決のために、縦枠と横枠とを組み合わせて形成されたフレームと、このフレームの表面及び裏面の少なくともどちらかに止着されたパネルと、前記フレームの上部に止着された笠木とを備えた間仕切パネルにおいて、前記横枠の中で最上部の横枠である上枠及び前記縦枠の少なくともどちらかに固定された笠木ベースを備え、この笠木ベースの上面から窪んだ断面形状を有すると共に長手方向に延びた少なくとも２本の係合凹部を前記笠木ベースに形成してなるものである。
【０００６】
ここで、前記笠木ベースの長手方向に延びると共に、前記笠木ベースに形成された係合凹部の少なくとも２本の係合凹部に係合して該係合凹部間を覆うカバーを備えると好ましい。
【０００７】
また、前記笠木ベースに形成された係合凹部に係合すると共にオプション類を支持するオプション支持部材を備えると好ましい。
【０００８】
さらに、前記笠木ベースの長手方向に延びた２個の下向きリブを前記笠木ベース下面に形成し、これら下向きリブが前記上枠及び前記縦枠の少なくともどちらかの上部に係合することにより、前記上枠及び前記縦枠の少なくともどちらかとの前記パネルの表裏方向の位置決めを行うものであると好ましい。
【発明の効果】
【０００９】
請求項１に係る発明によれば、縦枠と横枠とを組み合わせて形成されたフレームと、このフレームの表面及び裏面の少なくともどちらかに止着されたパネルと、前記フレームの上部に止着された笠木とを備えた間仕切パネルにおいて、前記横枠の中で最上部の横枠である上枠及び前記縦枠の少なくともどちらかに固定された笠木ベースを備え、この笠木ベースの上面から窪んだ断面形状を有すると共に長手方向に延びた少なくとも２本の係合凹部を前記笠木ベースに形成してなるので、前記笠木ベースに形成された少なくとも２本の係合凹部に係合させて、カバー又はスライドドア、スクリーンパネル若しくはホワイトボード等のオプション類等を前記笠木ベースに取り付けることができる。したがって、前記係合凹部にカバーを係合させる場合において、該カバーの交換により、使用者の好み等に合わせて、笠木の色、模様、形状又は材質を容易に変更することができると共に、該カバーにより前記笠木ベースと前記フレームとの締結部を隠すことができる。また、前記係合凹部にオプション類を係合させる場合において、該オプション類を容易に支持することができる。
【００１０】
また、請求項２に係る発明によれば、前記係合凹部の少なくとも２本の係合凹部に係合して該係合凹部間を覆うカバーを備えたので、該カバーの交換により、使用者の好み等に合わせて、笠木の色、模様、形状又は材質を容易に変更することができると共に、該カバーにより前記笠木ベースと前記フレームとの締結部を隠すことができる。
【００１１】
さらに、請求項３に係る発明によれば、前記笠木ベースに形成された係合凹部に係合すると共にオプション類を支持するオプション支持部材を備えたので、該オプション支持部材により、オプション類をより容易かつ確実に支持することができる。
【００１２】
また、請求項４に係る発明によれば、前記笠木ベース下面に形成した２個の下向きリブがフレームに係合することにより、該フレームとの前記パネルの表裏方向の位置決めを行うものであるので、前記オプション類を笠木により支持する場合における信頼性を向上することができる。
【発明を実施するための最良の形態】
【００１３】
図１は本発明の実施の形態に係る間仕切パネル用笠木を装着した間仕切パネル全体の斜視図、図２はフレームの例を示す正面図、図３は本発明の実施の形態に係る間仕切パネル用笠木を装着した間仕切パネルの側面断面図、図４は本発明の実施の形態に係る間仕切パネル用笠木の周辺を拡大して示す側面断面図である。
【００１４】
図２に示すように、間仕切パネルを構成するフレーム１は、穴２ａ，２ａ・・・が上下方向に形成された縦枠２，２と横枠３，３・・・とを組み合わせて形成されており、縦枠２，２下面に装着されたアジャスターボルト４，４により高さ調整を行うことができる。なお、縦枠２，２と横枠３，３・・・とは溶接又はボルトによる締結により固定されている。また、図１及び図３に示すように、間仕切パネルを構成するパネル５，５・・・は上下に並設されているが、上下に複数のパネルを並設せずに一枚のパネルとしてもよい。パネル５，５・・・には、図３に示すように、例えばナイロン又はポリアセタール等の樹脂製の上フック５ａ及び下フック５ｂが、該パネルの左右にそれぞれ装着されており、該フック５ａ及び５ｂをフレーム１の縦枠２の前記穴２ａ，２ａ（図２参照。）に掛止することにより、パネル５はフレーム１に止着される。
【００１５】
図３に示すように、パネル５の中で最上部のパネル（以下、上パネルと呼ぶ。）と笠木ベース６との間には間隙Ａが、上下に並設されたパネル５，５間には間隙Ｂが設けられ、これらの間隙Ａ，Ｂを塞ぐ、例えばＡＢＳ樹脂等の樹脂製の横目地材８，８・・・が配設されている。このように上パネル５と笠木ベース６との間にも間隙Ａがあるため、上パネル５に装着された横目地材８は、間隙Ａを通して外部から目視することができる。なお、間隙Ａ及びＢは略同一に設定されている。このようにして、上下に並設されたパネル５，５・・・周囲の形状及び色等を統一することができるため、特に意匠面での統一感を向上することができる。
【００１６】
図４に示すように、横目地材８の上面には、パネル５のパネル面に沿う方向に略水平に延びた（笠木ベース６の長手方向に延びた）２個の上向きリブ８ａ，８ａが形成されている。また、笠木ベース６の下面には、表裏の上パネル５，５に装着された横目地材８，８の前記上向きリブ８ａ，８ａ間に係合する長手方向に延びた下向きリブ６ｃ，６ｃが形成されている。したがって、横目地材８の上面に形成された上向きリブ８ａ，８ａ間に笠木ベース６の下面に形成された下向きリブ６ｃを係合させることにより、上パネル５，５の表裏方向（パネル面と直交する方向）への開き及びへこみを規制することができる。ここで、笠木ベース６の下面の下向きリブ６ｃは、横目地材８の上面に形成された上向きリブ８ａ，８ａ間に係合するため、外部から目視できる横目地材８の範囲が、パネル５，５間と笠木ベース６と上パネル５間とで同じであり、上下に並設されたパネル５，５・・・周囲の前記統一感を損なうことはない。
【００１７】
横目地材８の上部には、笠木ベース６又は上部のパネル５と当接する弾性変形部８ｂが形成されており、横目地材８のパネル５の上面との当接面には、凹凸部８ｃが形成されている。ここで、弾性変形部８ｂは、上向きリブ８ａ上部から延設されているが、上向きリブ８ａとは別に形成してもよい。なお、横目地材８は、前記のとおりＡＢＳ樹脂等の樹脂製であるため、押し出し成形等により、上向きリブ８ａ，８ａ、弾性変形部８ｂ、及び、凹凸部８ｃを含め容易に一体成形することができる。
【００１８】
図３及び図４に示すように、例えばアルミニウム合金の押し出しにより成形された笠木ベース６は、その中央部に長手方向に並設されたボルト６ａ，６ａ・・・を上方から螺合することにより、フレーム１の横枠３，３・・・の中の最上部の横枠（以下、上枠と呼ぶ。）３と締結されるが、縦枠２，２と締結する構成、又は、上枠３及び縦枠２，２と締結する構成を採用することもできる。笠木ベース６には、笠木ベース６上面から窪んだ断面形状を有すると共に長手方向に延びた２本の係合凹部６ｂ，６ｂが形成されている。該係合凹部は、笠木ベース６の上面からの窪みの下方が開放された断面形状で長手方向に延びたもの（例えば、図４中の６ｂ，６ｂ参照。）、又は、長手方向に延びた溝等、笠木ベース６の長手方向の適宜位置で、カバー又はオプション類等が係合する形状を有するものであればよい。このような形状の笠木ベース６により、カバー又はオプション類若しくは該オプション類の支持部材を前記係合凹部６ｂ，６ｂに係合させて設けることができる。
【００１９】
したがって、前記２本の係合凹部６ｂ，６ｂに係合させて、前記長手方向に延びた、例えばＡＢＳ樹脂等の樹脂製のカバー７を容易に取り付けることができると共に、該カバー７の取り外しも容易に行うことができる。また、図４のように、該カバー７の幅ＷＣは笠木ベース６の幅Ｗよりも小さく、笠木ベース６の幅Ｗ内に収まるように形成されており、前記２本の係合凹部６ｂ，６ｂ間を前記カバー７が覆っているため、笠木ベース６をフレーム１に固定するための前記ボルト６ａ，６ａ・・・を隠すことができる。さらに、笠木ベース６にカバー７を装着した状態において、前記２本の係合凹部６ｂ，６ｂよりもパネル５，５側の笠木ベース６の端部側上面とカバー７の上面とが略同一平面上にあるように形成されている。このような構成により、カバー７の色、模様、形状及び材質の変更を、カバー７の交換により容易に行うことができる。例えば、木目シートを貼付したカバー７に交換すれば、容易に木目調の間仕切パネルとすることができる。
【００２０】
なお、使用者の好み等に合わせて、笠木の色、模様、形状又は材質の変更を行う場合に、笠木ベース６自体を交換することも考えられるが、交換部品のコスト及び手間を考慮すると、前記のようにカバー７を交換する方が好ましい。また、笠木ベース６に形成された前記係合凹部は、２本ではなく、３本以上であってもよい。笠木ベース６に形成された前記係合凹部が３本以上である場合には、前記カバーは、前記３本以上の係合凹部の中の少なくとも２本の係合凹部に係合し、該係合凹部間を覆う形状に形成すればよい。
【００２１】
図５及び図６は、笠木ベースに形成された係合凹部に係合すると共にスライドドアを支持するスライドレールを備えた例を示す斜視図及び側面断面図である。図６において、前記笠木ベース６に形成された２本の係合凹部６ｂ，６ｂには、オプション支持部材であるスライドレール９の係合部９ａ，９ａが係合しており、スライドレール９の笠木ベース６の長手方向に延びたレール部９ｂにはスライドドア１０の上部に軸支されたローラー、車輪等の転動体１０ｂが係合している。このような簡素な構成により、スライドドア１０は吊り下げ状態にて安定して支持される。この状態において、図５の把手１０ａを手で左右方向（前記パネル面に沿う水平方向）に動かせば、前記スライドドア１０の転動輪１０ｂが前記スライドレール９のレール部９ｂ上を転動するため、スライドドア１０は前記レール部９ｂに沿って左右方向に容易に移動する。したがって、手動により容易にスライドドア１０の開閉を行うことができる（図５中の矢印Ｃ参照。）。このように、前記係合凹部６ｂ，６ｂに係合するオプション支持部材によりオプション類を支持することにより、オプション類をより容易かつ確実に支持することができる。
【００２２】
なお、オプション支持部材は使用するオプション類の支持に適する形状に形成すればよく、オプション支持部材の上面（例えば、オプション支持部材が図６のスライドレール９の場合では９ｃ）から窪んだ断面形状を有すると共に長手方向に延びた係合凹部を形成してカバーを装着してもよい。笠木ベース６に形成された係合凹部に係合しているオプション支持部材の上面に、該オプション支持部材が係合していない笠木ベース６の上面に装着したカバー７と同じ外観のカバー７を装着すれば、一連の間仕切パネル全体の統一感を向上することができる。
【００２３】
また、笠木ベース６は、前記のとおりオプション類を取り付け可能なものであり、必要な強度及び剛性が要求されるものであると共にフレーム１と強固に固定されている必要があるものである。したがって、笠木ベース６は、前記のとおり、アルミニウム合金等の金属製であると共に、ボルト６ａによりフレーム１の上枠３及び縦枠２，２の少なくともどちらかと締結され、強固に固定されている。また、オプション支持部材も、オプション類の支持に必要な強度及び剛性を備えた、例えばアルミニウム合金等の金属製であると共に、ボルトにより笠木ベース６及びフレーム１の少なくともどちらかと締結され、強固に固定されている。
【００２４】
なお、図６の構成において、オプション支持部材であるスライドレール９を用いずに、笠木ベース６に形成された係合凹部６ｂ，６ｂの少なくとも一方の形状をスライドドア１０の上部に軸支された転動体に係合する形状として、該係合凹部によりスライドレールを構成し、該スライドレールに前記転動体を係合させてスライドドア１０を吊り下げ状態にて支持することもできる。
【００２５】
図４及び図６において、笠木ベース６の下面に形成された長手方向に延びた下向きリブ６ｃ，６ｃの内側には、さらに長手方向に延びた下向きリブ６ｄ，６ｄが形成されている。これらの下向きリブ６ｄ，６ｄは、笠木ベース６を、フレーム１に対して、前記上パネル５の表裏方向に位置決めするものである。このような下向きリブ６ｄ，６ｄによる簡素な構成により、笠木ベース６は、フレーム１の縦枠２，２と前記上パネル５の表裏方向に位置決めされるため、間仕切パネルの組立作業が容易になると共に、前記下向きリブ６ｄ，６ｄ間へのフレーム１の縦枠２，２の係合により、笠木ベース６とフレーム１との前記上パネル５の表裏方向の相対変位が抑制される。したがって、笠木ベース６とフレーム１とは、前記上パネル５の表裏方向に、より確実に固定されるため、前記オプション類等を笠木により支持する場合における信頼性をより向上することができる。なお、笠木ベース６下面の下向きリブ６ｄ，６ｄにより、上枠３と位置決めする構成、又は、縦枠２，２及び上枠３と位置決めする構成としてもよい。また、笠木ベース６の下面に、前記下向きリブ６ｄ，６ｄではなく突起等を形成することにより、笠木ベース６をフレーム１に対して前記上パネル５の表裏方向に位置決めしてもよい。
【００２６】
図７及び図８は、笠木ベースに形成された係合凹部に係合すると共にスクリーンパネルを支持するスクリーンパネル受けを備えた例を示す正面図及び側面断面図である。図８において、前記笠木ベース６に形成された２本の係合凹部６ｂ，６ｂには、オプション支持部材であるスクリーンパネル受け１１のスクリーンパネルベース１１ａが係合している。また、笠木ベース６に装着されたナット１１ｂにスクリーンパネル受け１１の上部からボルト１１ｃを螺合することにより、スクリーンパネル受け１１は笠木ベース６と固定される。なお、図８の構成では、前記係合凹部６ｂ，６ｂへのスクリーンパネルベース１１ａの係合部は、前記係合凹部６ｂ，６ｂにより支持されていないが、前記係合凹部６ｂ，６ｂにより支持するように、例えば前記係合凹部６ｂ，６ｂに嵌合するような形状とすることもできる。
【００２７】
スクリーンパネル受け１１のスクリーンパネルベース１１ａ上部には、パッキン１１ｄが装着されており、該パッキン１１ｄにスクリーンパネル１２が嵌装され、スクリーンパネル１２が間仕切パネル上に立設される。このような簡素な構成により、スクリーンパネル１２は立設状態にて安定して支持される。また、スクリーンパネル受け１１の両端部には、ＡＢＳ樹脂等からなる端キャップ１１ｅ，１１ｅが、笠木ベース６の両端部には、ＡＢＳ樹脂等からなる端キャップ６ｅ，６ｅが装着される。したがって、スクリーンパネル受け１１及び笠木ベース６の両端部は、目隠しがされるため意匠性が向上すると共に不意の衝突等による衝撃から保護される。
【図面の簡単な説明】
【００２８】
【図１】本発明の実施の形態に係る間仕切パネル用笠木を装着した間仕切パネル全体の斜視図である。
【図２】フレームの例を示す正面図である。
【図３】本発明の実施の形態に係る間仕切パネル用笠木を装着した間仕切パネルの側面断面図である。
【図４】本発明の実施の形態に係る間仕切パネル用笠木の周辺を拡大して示す側面断面図である。
【図５】笠木ベースに形成された係合凹部に係合すると共にスライドドアを支持するスライドレールを備えた例を示す斜視図である。
【図６】笠木ベースに形成された係合凹部に係合すると共にスライドドアを支持するスライドレールを備えた例を示す側面断面図である。
【図７】笠木ベースに形成された係合凹部に係合すると共にスクリーンパネルを支持するスクリーンパネル受けを備えた例を示す正面図である。
【図８】笠木ベースに形成された係合凹部に係合すると共にスクリーンパネルを支持するスクリーンパネル受けを備えた例を示す側面断面図である。
【符号の説明】
【００２９】
１  フレーム                            ２  縦枠
３  横枠                                ５  パネル
６  笠木ベース                          ６ａ  ボルト
６ｂ  係合凹部                          ６ｃ  下向きリブ
６ｄ  下向きリブ                        ７  カバー
９  スライドレール                      ９ａ  係合部
９ｂ  レール部                          １０  スライドドア
１０ａ  把手                            １０ｂ  転動体
１１  スクリーンパネル受け              １１ａ  スクリーンパネルベース
１１ｂ  ナット                          １１ｃ  ボルト
１１ｄ  パッキン                        １２  スクリーンパネル
【図１】
2005113500.tif 000003
【図２】
2005113500.tif 000004
【図３】
2005113500.tif 000005
【図４】
2005113500.tif 000006
【図５】
2005113500.tif 000007
【図６】
2005113500.tif 000008
【図７】
2005113500.tif 000009
【図８】
2005113500.tif 000010